(57)【要約】      （修正有）【課題】高速に搬送される書類や帳票に所定コードを印刷できる書類処理装置を提供する。【解決手段】書類処理装置１００の搬送面２０５とほぼ同一面にプリント部２３を埋設し、プリント部２３に着脱自在にインクジェット・カートリッジを収容する。また、インクジェット・カートリッジのヘッド部分の印字面が垂直上方を向くように位置させ、ヘッド部分よりインクを垂直上方へ噴射することで書類や帳票の裏面に所定の識別コードを印刷する。【選択図】図２
2012096380.tif 000002
【特許請求の範囲】
【請求項１】
多種多様な帳票・書類を分類処理する書類処理装置であって、
前記帳票・書類を個別に分離して搬送路上を搬送させる手段と、
前記搬送路の搬送面に埋設したプリント部と、
前記プリント部に着脱自在に収容されたインクカートリッジとを備え、
前記インクカートリッジのヘッド部分の印字面が垂直上向きになるとともに前記搬送面とほぼ同一面となるように前記プリント部を配し、前記ヘッド部分より垂直上方にインクを噴射して、前記帳票・書類それぞれの裏面に所定の識別コードを印刷することを特徴とする書類処理装置。
【請求項２】
前記プリント部は、前記インクカートリッジを収容した状態で回転可能に配され、前記プリント部を所定方向に所定角度回転することで、前記インクカートリッジの取り外しおよび交換ができることを特徴とする請求項１に記載の書類処理装置。
【請求項３】
前記インクは相対的な乾燥時間が短く、かつ粘性が高いことを特徴とする請求項１に記載の書類処理装置。
【請求項４】
前記識別コードには、少なくとも文字、記号、一次元バーコード、二次元バーコードが含まれることを特徴とする請求項１に記載の書類処理装置。
【請求項５】
さらに、前記ヘッド部分の搬送方向下流側に、前記ヘッド部分から予備噴射されたインクを吸引するための機構を設けたことを特徴とする請求項１乃至３のいずれかに記載の書類処理装置。
【発明の詳細な説明】
【技術分野】
【０００１】
本発明は、搬送路に従って搬送される、種々の構成を有する書類や帳票等にコード等を印刷する書類処理装置に関するものである。
【背景技術】
【０００２】
近年おける業務の多様化に伴い、様々な業種において多種多様の書類や伝票、帳票等が扱われており、それらを短時間に確実かつ効率的に処理する必要がある。その際、搬送される書類・帳票等に印刷等を行うため、書類・帳票等の画像を読み取ったときに所定の管理データをマーカとして帳票上に印刷し、それに基づいて、読み込んだ帳票の表面と裏面の画像それぞれを関連づける帳票読み取り装置が提案されている（例えば、特許文献１）。また、帳票の２重読み取りを防止するため、帳票の読み取り後、その帳票の所定個所にナンバリング文字を印字する装置がある（例えば、特許文献２）。
【０００３】
【特許文献１】特開２０００−２０６１１号公報
【特許文献２】特開平１０−１６２０９７号公報
【発明の概要】
【発明が解決しようとする課題】
【０００４】
書類・帳票等へマーカやナンバリング文字を印刷する装置では、一般的には、インクジェット型の記録機構を用いているが、印字ヘッドを垂直方向上向きに設定し、その印字ヘッド上を、帳票等を高速で搬送した場合、帳票上に鮮明なマーカやナンバリング文字を印刷することが困難になるという問題がある。すなわち、印字ヘッドの真上を帳票等を高速で移動させた場合、印刷文字等が搬送方向へ流れてしまい、印刷内容が解読不能になったり、あるいは全体的に変形した不鮮明な印刷印字状態となる。さらには、使用するインクの特性、例えば、インクの乾燥時間等に起因するインク垂れが生じるといった問題もある。
【０００５】
本発明は、上述した課題に鑑みなされたものであり、その目的とするところは、高速で搬送される書類や帳票上に印刷等を行うことのできる書類処理装置を提供することである。
【課題を解決するための手段】
【０００６】
本発明は、上述した課題を解決する一手段として、例えば、以下の構成を備える。すなわち、本発明は多種多様な帳票・書類を分類処理する書類処理装置であって、前記帳票・書類を個別に分離して搬送路上を搬送させる手段と、前記搬送路の搬送面に埋設したプリント部と、前記プリント部に着脱自在に収容されたインクカートリッジとを備え、前記インクカートリッジのヘッド部分の印字面が垂直上向きになるとともに前記搬送面とほぼ同一面となるように前記プリント部を配し、前記ヘッド部分より垂直上方にインクを噴射して、前記帳票・書類それぞれの裏面に所定の識別コードを印刷することを特徴とする。
例えば、前記プリント部は、前記インクカートリッジを収容した状態で回転可能に配され、前記プリント部を所定方向に所定角度回転することで、前記インクカートリッジの取り外しおよび交換ができることを特徴とする。
また、例えば、前記インクは相対的な乾燥時間が短く、かつ粘性が高いことを特徴とする。さらに、例えば、前記識別コードには、少なくとも文字、記号、一次元バーコード、二次元バーコードが含まれることを特徴とする。例えば、さらに、前記ヘッド部分の搬送方向下流側に、前記ヘッド部分から予備噴射されたインクを吸引するための機構を設けたことを特徴とする。
【発明の効果】
【０００７】
本発明によれば、高速で搬送される多種多様の書類等の裏面に確実に識別コード等を印刷できる。
【図面の簡単な説明】
【０００８】
【図１】本発明の一実施の形態例に係る書類処理装置の全体構成を示す正面図である。
【図２】本発明の実施の形態例に係る書類処理装置のフィーダ装置およびイメージ読取装置の外観構成を示す図である。
【図３】本発明の実施の形態例に係る書類処理装置の主要部の構成を示すブロック図である。
【図４】本発明の実施の形態例に係る書類処理装置のプリント部の構成を説明するための図である。
【図５】本発明の実施の形態例に係る書類処理装置におけるインク吸引機構とその近傍を搬送面の上方から見たときの様子（（ａ））と、そのインク吸引機構を搬送面と平行に書類処理装置の正面側から見たときの様子（（ｂ））を示す図である。
【発明を実施するための形態】
【０００９】
以下、本発明に係る実施の形態例について添付図面を参照して詳細に説明する。図１は、本発明の一実施の形態例に係る書類処理装置の全体構成を示す正面図である。図１に示すように、本実施の形態例に係る書類処理装置１００は、ホッパ装置（フィーダ装置）１０、読取装置２０、およびスタッカ装置３０により構成され、これらの装置により高速で書類等が搬送されるとともに、書類等の所定個所に印刷等を行う。
【００１０】
ホッパ装置１０は、載置された書類、例えば、帳票、伝票、レセプト等を分離・搬送するための装置である。処理する書類、帳票等は、通常、種々の厚さを有し、かつ綴じ方も不定であるため、ホッパ装置１０は、これらの帳票等を１綴りごとに分離して、次段の読取装置２０へ搬送する機能を有する。そのためホッパ装置１０は、書類や帳票の束を載置するパドル部１０２、不図示の搬送ベルト部等を備えている。また、ホッパ装置１０は、作業者が種々の操作情報を入力したり、書類処理装置の動作状態等を表示したり、あるいは、後述するイメージリーダで読み込んだ画像を可視表示するための操作部や表示部等として機能するモニタ部１３を有している。
【００１１】
読取装置２０は、ホッパ装置１０より搬送された帳票等に対して、所定の文字、記号等の識別コードを印刷したり、帳票等に記載されている文字、図形等の情報を読み取る。具体的には、プリント部（印刷部）２３は、ホッパ装置１０から送られた帳票等の裏面の所定個所にコード等を印刷し、撮像装置（イメージリーダ）２１により、帳票等の表面上の文字やイメージを画像情報として電子的に取り込み、それらの帳票等の所定領域に記載された文字等の画像を解析して、記載内容を抽出した後、その取り込み結果に従った制御をする。
【００１２】
読取装置２０は、書類処理装置全体の制御を司る中央制御部２５を備えており、読み取った帳票等のイメージ情報を認識して、その記載内容を電子化するとともに、帳票等の分類仕様に従って、スタッカ装置３０における分離・載置部位を決定する。スタッカ装置３０は、搬送されてきた帳票等を、読取装置２０からの指示、例えば、画像解析や記載内容の抽出結果に従った指示に基づいて、帳票等を所定のポケットに分離、載置する書類収納部として機能する。
【００１３】
次に、本実施の形態例に係る書類処理装置における、書類等のフィーダ機構、印刷機構、搬送機構等について説明する。図２は、本実施の形態例に係る書類処理装置１００のうち、フィーダ装置１０およびイメージ読取装置２０の外観構成を示す斜視図である。また、図３は、本実施の形態例に係る書類処理装置の主要部の構成を示すブロック図である。図２において、フィーダ装置１０のホッパ部２０１は、種々の厚さの書類、綴じ方の異なる書類等を一綴りごとに分離する。そのため、ホッパ部２０１は、ピッカー部１０３と搬送ベルト部１０１を有し、搬送ベルト部１０１の一部は、書類の搬送のみならず、パドル部１０２そのものを移動して、ホッパ部２０１に載置された書類をピッカー部１０３へ搬送する機能を有する。分離された書類は、送出し部２０２を介して所定の速度で読取装置２０へ送られる。
【００１４】
搬送ベルト部１０１のうち一部のベルトは、その表面に一定間隔に配した歯形状のスリット（ベルトの移動方向と垂直な方向に走る突起部と溝部が、一定の間隔で連続する構造）を有する。この溝にパドル部１０２の底部の一部が係合し、搬送ベルト部１０１が動くことによる溝部の移動に従って、パドル部１０２もピッカー部１０３側へ移動する。これにより、パドル部１０２の前方に載置された束状の書類・帳票２００が搬送によって徐々に減じるのとほぼ同期して、搬送ベルト部１０１を駆動するという制御が行われる。
【００１５】
ピッカー部１０３には、上述した搬送ベルト１０１を動作させるため、ピックアップローラ１３１の下部に位置する書類の厚みによって、ピックアップローラ１３１の位置を検出するセンサ部１０４が配されている。また、フィーダ装置１０に積載された書類の手前側のエッジを揃えるため、搬送ベルト部１０１の手前側に、それと並行して走る書類ガイド部１０７が設けられている。送出し部２０２は、書類の分離・送り機構としてのフィーダ部１３０を有する。このフィーダ部１３０は、図２に示すように安全用の覆いが被せられ、相互に接触しながら反対方向へ回転移動する２つの搬送ベルトによって、書類や帳票の分離および搬送を行う。
【００１６】
イメージ読取装置２０の搬送部２０３のうち、フィーダ装置１０側の端部近傍において、その搬送面２０５の下部にプリント部２３が埋設されている。このプリント部２３には、後述するインクジェット・カートリッジ（インクカートリッジ）が収容されており、インクジェット・カートリッジのヘッド部分（図４、図５において符号４０３で示す部分）は、その印字面が垂直上方を向くとともに、搬送面２０５とほぼ同一面にあるか、あるいは搬送面２０５よりも僅かに垂直下方に位置している。そして、フィーダ装置１０からイメージ読取装置２０へ搬送される書類や帳票がインクジェット・カートリッジのヘッド部分を通過する際、プリント部２３は、書類や帳票の下方より、それらの裏面に向けてインクを噴射し、書類や帳票の所定個所に識別コード等を印刷する（例えば、文字、記号、一次元バーコード、二次元バーコード等によるマーキングを行う）ように構成されている。
【００１７】
インクジェット・カートリッジのヘッド部分から噴射される印刷用のインクとしては、速乾性のインク、例えば顔料ベースのインクを使用する。このインクは、通常のインクに比べて相対的に乾燥時間が短く、かつ粘性が高い特徴を有する。これにより、書類・帳票３００の紙質の違い（例えば、多孔質や光沢の有無等）によらず、インクの滲み等のない印刷が可能となる。また、インクジェット・カートリッジのヘッド部分に埃等が堆積したり、誤って触れて損傷を与えることがないようにするため、プリント部２３の上面全体を覆うように略コの字型のカバー部材２４が配されている。
【００１８】
カバー部材２４の下面部であって、インクジェット・カートリッジのヘッド部分に対応する部分には、例えば、液体の吸収率・保持率に優れたスポンジ製のインク吸収部２７が配されている。このインク吸収部２７は、インクジェット・カートリッジのヘッド部分からインク目詰まりを防止するために噴射されたインクを吸収するための吸収パッドとして機能する。さらに、インクジェット・カートリッジのヘッド部分近傍には、書類や帳票への印字時以外において、ヘッド部分のインク目詰まりを防止するために予備噴射されたインクのうち、インク吸収部２７が吸収しきれないインクを吸引・回収するための機構（デフォッガーともいう。）が設けられている。
【００１９】
図５（ａ）は、インク吸引機構とその近傍を搬送面の上方から見たときの様子を示しており、図５（ｂ）は、インク吸引機構を搬送面２０５と平行に書類処理装置の正面側から見たときの様子を示している。図５（ａ）に示すように、プリント部２３を構成するインクジェット・カートリッジのヘッド部分４０３の搬送方向（矢印で示す）下流側には、搬送面２０５とほぼ同じ面に、所定間隔の格子からなる格子状窓部４１ａを有するインク吸引機構４１が埋設されている。この格子状窓部４１ａの下部には、図５（ｂ）に示すように、格子状窓部４１ａに吸引面４３ａを向けて配置されたファン機構４３が配されている。このため、ヘッド部分４０３から噴射された余剰インクは、その大部分がスポンジ製のインク吸収部２７に付着するが、そこに付着しなかったインクは、図中、白抜き矢印で示すように、ファンの回転による空気流に乗って、格子状窓部４１ａを介してインク吸引機構４１の吸引面４３ａに吸引される。
【００２０】
イメージ読取装置２０は、上述したプリント部２３の下流側において、搬送されてきた帳票等に記載された画像情報をイメージとして読み込むための撮像装置（イメージリーダ）２１を備える。さらに、プリント部２３の下流側には、上述したマーキングを読み取るための光学読取装置２２が配されている。この光学読取装置２２も、搬送面２０５とほぼ同一か、あるいはそれよりも僅かに垂直下方に位置するように搬送面２０５に埋設されている。
【００２１】
イメージ読取装置２０は、その下流側に位置するスタッカ装置３０に対して帳票等を搬送するために、複数本の搬送ベルト２０７を有する。これらの搬送ベルト２０７は、一定の距離をおいて相互に平行に隣り合う位置関係を維持している。また、搬送ベルト２０７は、不図示の駆動モータで回転駆動されており、相互に同期して同一方向へ同じ速度で移動する。
【００２２】
本実施の形態例に係る書類処理装置では、読取装置２０の搬送路２０５に埋設されたプリント部２３が、ホッパ装置１０より順次搬送されてくる書類・帳票の特定個所（例えば、裏面）にコード等を印刷する。具体的には、中央制御部２５が、書類・帳票の搬送タイミングに合わせて、メモリ３５に格納されている印刷データをプリント部２３へ送信する。その結果、プリント部２３のインクジェット・ヘッド部分より垂直上方に向けてインクが噴射され、搬送中の書類や帳票の裏面にコード等が印刷される。なお、これらのコードの印刷は、読取装置２０に光学的なセンサ等を設けて、読取装置２０への書類等の到来を逐次、検出し、その結果をもとに印刷処理を行ってもよい。
【００２３】
次に、本実施の形態例に係る書類処理装置のプリント部の構成について説明する。図４（ａ）〜図４（ｄ）は、本実施の形態例に係る書類処理装置のプリント部２３の構成を模式的に示す図である。図４（ａ）に示す回転部材４２０は、その上部４２１が書類処理装置の搬送部の搬送面２０５と同じ面位置を有しており、下部に設けた支持部材４０７によってインクジェット・カートリッジ４００を支持するとともに、それを収容している。また、回転部材４２０は、インクジェット・カートリッジ４００のヘッド部分４０３が搬送面２０５とほぼ同一の面、あるいは搬送面２０５よりも僅かに垂直下方に位置するようにインクジェット・カートリッジ４００を収容している。具体的には、回転部材４２０は、インクジェット・カートリッジ４００の上を通過する書類・帳票とヘッド部分４０３との間隔が、例えば、１．０〜１．５ｍｍとなるようにカートリッジの位置決めをする。
【００２４】
図４（ａ）に示す状態から、図４（ｂ）に示すようにラッチレバー４１１を矢印Ａ方向へ倒すと、それに伴ってスライドプレート４１０も矢印Ｂ方向へ移動する。それと同時に、インクジェット・カートリッジ４００を固定していたスプリング４１５が外れるため、インクジェット・カートリッジ４００は、スライドプレート４１０の移動とともに回転軸４０５を中心に矢印Ｃ方向に回転する。そして、図４（ｃ）に示すように、スライドプレート４１０をさらに矢印Ｄ方向にスライドさせると、それに従って回転部材４２０は、さらに矢印Ｅ方向に回転し、図４（ａ）に示す状態に対して、その上部４２１が下方に向いた状態になる。
【００２５】
このように回転させた回転部材４２０の支持部材４０７を、図４（ｄ）に示すように解除することで、回転部材４２０に収容されていたインクジェット・カートリッジ４００を取り外すことができる。これにより、使用済みのインクジェット・カートリッジ４００の廃棄、あるいは、インクジェット・カートリッジ４００のヘッド部分４０３の汚れ等を除去するためのメンテナンス作業、あるいは新たなインクジェット・カートリッジへの交換等を容易かつ迅速に行うことができる。
【００２６】
以上説明したように、本実施の形態例によれば、書類処理装置の搬送路の搬送面とほぼ同一面あるいは搬送面よりも僅かに垂直下方にプリント部を配し、そのプリント部に着脱自在にインクジェット・カートリッジを収容する。そして、インクジェット・カートリッジのヘッド部分を、その印字面が垂直上方を向くように位置させるとともに、搬送面とほぼ同一面か、あるいはそれよりも僅かに垂直下方に配することにより、インクジェット・カートリッジのヘッド部分を通過する書類や帳票の下方からインクを噴射して、書類や帳票の裏面に所定コードを印刷することができる。
【００２７】
また、コード等の印刷に速乾性のインクを使用することで、インクジェット・カートリッジのヘッド部分を垂直方向上向きに設定し、かつ、書類・帳票を高速でヘッド部分を通過させても、印刷後のインク垂れ、インク流れ等の問題は生じない。また、速乾性のインクであるため、書類・帳票が多孔質紙である等、紙質の違いや光沢のある紙であっても、インクの滲み等のない印刷が可能となるので、書類・帳票の搬送時間および処理時間を大幅に短縮できる。
【００２８】
さらに、インクジェット・カートリッジを収容した状態のプリント部全体を回転可能に書類処理装置の搬送路に配し、印刷の際に簡単な機構でプリント部を固定するとともに、印刷時以外においてインクジェット・カートリッジを収容したままプリント部を回転移動できるため、インクジェット・カートリッジのメンテナンス等を容易に行える。
【符号の説明】
【００２９】
１０    ホッパ装置
１３    モニタ部
２０    読取装置
２１    撮像装置（イメージリーダ）
２２    光学読取装置
２３    プリント部（印刷部）
２４    カバー部材
２５    中央制御部
２７    インク吸収部
３０    スタッカ装置
３５    メモリ
４１    インク吸引機構
４１ａ    格子状窓部
４３    ファン機構
４３ａ    吸引面
１００    書類処理装置
１０１    搬送ベルト部
１０３    ピッカー部
１０７    書類ガイド部
１３０    フィーダ部
１３１    ピックアップローラ
２００    書類・帳票
２０１    ホッパ部
２０３    搬送部
２０５    搬送面
２０７    搬送ベルト
４００    インクジェット・カートリッジ
４０３    ヘッド部分
４０７    支持部材
４１０    スライドプレート
４１１    ラッチレバー
４２０    回転部材
【図１】
2012096380.tif 000003
【図２】
2012096380.tif 000004
【図３】
2012096380.tif 000005
【図４】
2012096380.tif 000006
【図５】
2012096380.tif 000007